(57)【要約】【課題】  踏み段とスカートガードパネルとの間に、人または物が挟まれた場合の救出復旧作業を容易にできるエスカレータ安全装置を提供することである。【解決手段】  エスカレータの踏み段１４の左右両側端面に所定の間隔を保ってスカートガードパネル１１を有し、そのスカートガードパネル１１に加わる圧力が所定値以上となったときにスカートガードパネル安全スイッチ１５を動作させ、エスカレータの運転を停止させるエスカレータ安全装置であり、エスカレータの運転時と停止時とでスカートガードパネル１１の固定力を可変とするスカートガードパネル固定力可変装置１７を備えたものである。【選択図】図１
2005112526.tif 000002
【特許請求の範囲】
【請求項１】
エスカレータの踏み段の左右両側端面に所定の間隔を保ってスカートガードパネルを有し、そのスカートガードパネルに加わる圧力が所定値以上となったときにスカートガードパネル安全スイッチを動作させ、エスカレータの運転を停止させるエスカレータ安全装置において、エスカレータの運転時と停止時とでスカートガードパネルの固定力を可変とするスカートガードパネル固定力可変装置を備えたことを特徴とするエスカレータ安全装置。
【請求項２】
前記スカートガードパネル固定力可変装置は、エスカレータの運転時は固定力を増加して前記スカートガードパネルと踏み段との間隔を保ち、エスカレータ停止時は固定力を減少させて前記スカートガードパネルと踏み段との間隔を保つことを特徴とする請求項１記載のエスカレータ安全装置。
【請求項３】
前記スカートガードパネルの背面を支持する支持部材と、前記支持部材に一定の固定力を与えるバネ部材と、エスカレータの運転時に励磁されて前記支持部材に所定の固定力を与えエスカレータの停止時に励磁が解除されて前記支持部材への所定の固定力を解除するソレノイドとを備えたことを特徴とする請求項１または請求項２記載のエスカレータ安全装置。
【発明の詳細な説明】
【技術分野】
【０００１】
本発明は、エスカレータの乗客の安全を確保するエスカレータ安全装置に関する。
【背景技術】
【０００２】
エスカレータは、乗り場やデッキ部分の固定部と、手摺りや踏み段部分の可動部とからなる構造であり、その構造上、固定部分と可動部分との境界部分は露出された状態であり、常に挟み込みの可能性が存在する。そこで、固定部分と可動部分との境界部分に、人や物が挟み込まれないように各種の工夫がなされ、万一、人または物が挟み込まれた場合においても、即座にエスカレータを停止させるようにし充分な安全が確保できるよう配慮している。
【０００３】
例えば、エスカレータの踏み段の左右両側は、踏み段とスカートガードパネルとの境界部分となっており、スカートガードパネルは踏み段と所定の間隔を保って配置されている。図２は、従来の踏み段とスカートガードパネルとの境界部分におけるエスカレータ安全装置の説明図である。
【０００４】
スカートガードパネル１１は取付アングル１２で固定され、スカートガードパネル１１の上部にはデッキパネル１３が配置されている。スカートガードパネル１１と踏み段１４との間隔は、安全上定められた一定の距離ｄ（例えば２ｍｍ)をおいて取付アングル１２で固定されている。スカートガードパネル１１の背面には、スカートガードパネル安全スイッチ１５が設けられ、スカートガードパネル１１と踏み段１４との間に何らかのものが挟み込まれた場合、スカートガードパネル１１が撓むことで作動する。
【０００５】
スカートガードパネル安全スイッチ１５の作動信号はエスカレータ制御装置１６に入力され、エスカレータ制御装置１６はスカートガードパネル安全スイッチ１５の作動信号を入力するとエスカレータの運転を停止させる。これにより、スカートガードパネル１１と踏み段１４との間に何らかのものが挟み込まれた場合の安全を図っている。
【０００６】
また、スカートガードパネル安全スイッチが動作する前にスカートガードパネルに人や物が接触したことを検出し、警報音声や振動を発生させるようにしたものがある（例えば、特許文献１参照）。また、スカートガードパネルに小孔を設け小孔から吹き出し風を送風してスカートガードパネルに近接したことを感じさせるようにしたもの（例えば、特許文献２参照）や、スカートガードパネルの表面に凹凸を設けて、スカートガードパネルに接触したことを感じさせるようにしたものもある（例えば、特許文献３参照）。
【特許文献１】特開２００１−２４７２８６号公報（図１、図２参照）
【特許文献２】特開２０００−１７７９７２号公報（図３参照）
【特許文献３】特開２０００−１１８９３８号公報（図１参照）
【発明の開示】
【発明が解決しようとする課題】
【０００７】
しかしながら、スカートガードパネル１１と踏み段１４との間に人または物が挟まった場合には、エスカレータを停止させ安全を図るようにしているが、スカートガードパネル安全スイッチ１５の作動によってエスカレータが運転停止した場合には、挟み込まれたものを取り除く作業が必要となる。
【０００８】
踏み段１４の端面とスカートガードパネル１１との間隔は、前述したように一定の間隔で固定されているため、挟み込んだものを容易に取り除くことができない場合がある。そのような場合には、スカートガードパネル１１の取り外し作業を要し復旧が遅延する。また、場合によっては特殊な工具を使用してスカートガードパネル１１や踏み段１４の一部を破壊することで復旧しなければならないことがあり、復旧の遅延や装置の補修などが必要となる。
【０００９】
本発明の目的は、踏み段とスカートガードパネルとの間に、人または物が挟まれた場合の救出復旧作業を容易にできるエスカレータ安全装置を提供することである。
【課題を解決するための手段】
【００１０】
請求項１の発明に係わるエスカレータ安全装置は、エスカレータの踏み段の左右両側端面に所定の間隔を保ってスカートガードパネルを有し、そのスカートガードパネルに加わる圧力が所定値以上となったときにスカートガードパネル安全スイッチを動作させ、エスカレータの運転を停止させるエスカレータ安全装置において、エスカレータの運転時と停止時とでスカートガードパネルの固定力を可変とするスカートガードパネル固定力可変装置を備えたものである。
【００１１】
請求項２の発明に係わるエスカレータ安全装置は、請求項１の発明において、前記スカートガードパネル固定力可変装置は、エスカレータの運転時は固定力を増加して前記スカートガードパネルと踏み段との間隔を保ち、エスカレータ停止時は固定力を減少させて前記スカートガードパネルと踏み段との間隔を保つようにしたものである。
【００１２】
請求項３の発明に係わるエスカレータ安全装置は、請求項１または請求項２の発明において、前記スカートガードパネルの背面を支持する支持部材と、前記支持部材に一定の固定力を与えるバネ部材と、エスカレータの運転時に励磁されて前記支持部材に所定の固定力を与えエスカレータの停止時に励磁が解除されて前記支持部材への所定の固定力を解除するソレノイドとを備えたものである。
【発明の効果】
【００１３】
本発明によれば、万一、スカートガードパネルに人または物が挟まれた場合、スカートガードパネルの固定力が減少するので、スカートガードパネルと踏み段の間隔を通常運転時の間隔よりも拡大できるため、救出復旧の作業を容易とすることができる。これにより、救出復旧作業時間が短縮でき、救出復旧に伴う機器の破損も回避できる。
【発明を実施するための最良の形態】
【００１４】
人または物がエスカレータの踏み段とスカートガードパネルとの間に挟まれた際の救出ならびに復旧作業を短時間でしかも機器の破損を伴うことなく行えることを実現した。
【００１５】
図１は、本発明の実施の形態に係わる踏み段とスカートガードパネルとの境界部分におけるエスカレータ安全装置の説明図である。本発明の実施の形態は図２に示した従来例に対し、エスカレータの運転時と停止時とでスカートガードパネル１１の固定力を可変とするスカートガードパネル固定力可変装置１７を設けたものである。
【００１６】
スカートガードパネル１１は取付アングル１２で固定され、スカートガードパネル１１の上部にはデッキパネル１３が配置されている。スカートガードパネル１１と踏み段１４との間隔は、安全上定められた一定の距離ｄ（例えば２ｍｍ)をおいて取付アングル１２で固定されている。スカートガードパネル１１の背面には、スカートガードパネル安全スイッチ１５が設けられている。
【００１７】
スカートガードパネル安全スイッチ１５は、スカートガードパネル１１と踏み段１４の間に何らかのものが挟み込まれた場合、スカートガードパネル１１の位置が変位することで作動する。スカートガードパネル安全スイッチ１５は、スカートガードパネル１１が受ける圧力に対する変位量の変化により作動するものであり、スカートガードパネル１１とスカートガードパネル安全スイッチ１５との距離を変化させることで作動点を可変できるようになっている。通常、スカートガードパネル安全スイッチ１５は、一定の圧力、例えばスカートガードパネル１１が２５Ｋｇの力でスカートガードパネル安全スイッチ１５の方向に押された場合に作動するよう一定の距離で配置されている。
【００１８】
スカートガードパネル安全スイッチ１５の作動信号はエスカレータ制御装置１６に入力され、エスカレータ制御装置１６はスカートガードパネル安全スイッチ１５の作動信号を入力するとエスカレータの運転を停止させる。これにより、スカートガードパネル１１と踏み段１４との間に何らかのものが挟み込まれた場合の安全を図っている。
【００１９】
また、スカートガードパネル１１の背面には、スカートガードパネル固定力可変装置１７が取付アングル１２により取り付けられている。スカートガードパネル固定力可変装置１７はエスカレータの運転時と停止時とでスカートガードパネルの固定力を可変とするものである。スカートガードパネル固定力可変装置１７は、スカートガードパネル１１の背面を支持部材１８で支持し、支持部材１８にはバネ部材１９で一定の固定力が与えられている。また、ソレノイド２０は、エスカレータの運転時には励磁され支持部材１８に所定の固定力を与える。一方、エスカレータの停止時には励磁が解除されて支持部材１８への所定の固定力を解除する。
【００２０】
これにより、エスカレータの運転時には固定力を増加してスカートガードパネル１１と踏み段１４との間隔を一定距離ｄに保ち、エスカレータ停止時には固定力を減少させてスカートガードパネル１１と踏み段１４との間隔を一定距離ｄに保つ。
【００２１】
次に動作を説明する。エスカレータ運転時においては、スカートガードパネル固定力可変装置１７のノレノイド２０は、エスカレータ制御装置１６からの指令によりオン状態（励磁状態）となり、支持部材１８はスカートガードパネル１１側に押し出された状態となる。従って、支持部材１８により支持されたスカードガードパネル１１は、安全上、予め定められたスカードガード調整間隔ｄを保つ。
【００２２】
このときのソレノイド２０の動作力は、スカートガードパネル１１と踏み段１４の間にものが挟まった場合のスカートガードパネル安全スイッチ１５の動作点に等しい値とする。
【００２３】
いま、スカートガードパネル１１と踏み段１４との間に人の靴が挟まれた場合について考える。エスカレータ制御装置１６は、スカートガードパネル安全スイッチ１５の作動信号によりエスカレータの運転を停止する。エスカレータの運転停止に伴い、エスカレータ制御装置１６は、ソレノイド２０をオフ状態（無励磁状態）とする。ソレノイド２０がオフとなった場合、支持部材１８は自由状態となり、バネ部材１９のバネ圧力のみで、スカートガードパネル１１を押した状態となる。
【００２４】
このとき、バネ部材１９によりスカートガードパネル１１を押している圧力は、エスカレータ運転中にソレノイド２０がオン状態となりスカートガードパネル１１を押している圧力に対し、十分小さい値、例えば、スカートガードパネル調整間隔ｄを最低限保つバネ圧力とする。
【００２５】
つまり、ソレノイド２０がオン状態の場合、スカートガードパネル１１がスカートガードパネル安全スイッチ１５を動作させるには、予め定められた力、例えば２５Ｋｇでスカートガードパネル１１を押す必要があるが、ソレノイド２０がオフ状態の場合には、スカートガードパネル１１は、バネ部材１９の圧力以上の力であれば支持部材１８は移動し、それに伴いスカートガード調整距離ｄも増加することとなる。従って、エスカレータ停止中は、スカートガードパネル１１の固定力を減少させることができるので、スカートガードパネル１１と踏み段１４との間隔を一定間隔ｄよりも増加させることができ、挟まったものを容易に取り外すことができる。
【産業上の利用可能性】
【００２６】
エスカレータの固定部と可動部との境界部分に、人または物が挟まれた際の救出ならびに復旧作業に適用できる。
【図面の簡単な説明】
【００２７】
【図１】本発明の実施の形態に係わる踏み段とスカートガードパネルとの境界部分におけるエスカレータ安全装置の説明図。
【図２】従来の踏み段とスカートガードパネルとの境界部分におけるエスカレータ安全装置の説明図。
【符号の説明】
【００２８】
１１…スカートガードパネル、１２…取付アングル、１３…デッキパネル、１４…踏み段、１５…スカートガードパネル安全スイッチ、１６…エスカレータ制御装置、１７…スカートガードパネル固定力可変装置
【図１】
2005112526.tif 000003
【図２】
2005112526.tif 000004